(57)【特許請求の範囲】
【請求項１】
装置筐体に取付けられ、装置筐体を支持するとともに、この高さ調整機能を備えた支持装置において、
上記装置筐体の底面部に取付けられ、底面部と平行な面に設けられる差込み用孔および上記装置本体の側面部と並行な取付け用片を備えた補助ベースフレームと、
この補助ベースフレームの上記差込み用孔に掛脱自在な差込み爪部と、補助ベースフレームを受ける受け部および上記取付け用片と並行な垂直片を備えたアジャスタ取付けプレートと、
上記装置筐体の側面部側から、上記アジャスタ取付けプレートの垂直片を補助ベースフレームの取付け用片に着脱自在に取付け固定する取付け用ねじと、
上記アジャスタ取付けプレートの受け部に設けられ、装置筐体底面部から補助ベースフレームを介してアジャスタ取付けプレートの受け部にかかる装置筐体の荷重を受けるナットを備え、このナットに螺挿して、ナットとともに装置筐体の荷重を受け、かつアジャスタ取付けプレートからの突出長さを可変にして装置筐体に対する高さ調整をなすねじであるアジャスタと、
を具備し、
アジャスタのねじ部直径をＤ、補助ベースフレームに設けられ高さ調整手段のナットが挿通する逃げ孔の最小の開口長さをＪ、装置筐体を持ち上げずにアジャスタを取付け取外しするときのアジャスタの最大傾け角度Ｑ（Ｑは、装置筐体の据付け床面と補助ベースフレームまでの距離Ｈ、アジャスタの全長Ｌ、アジャスタ床面の投影長さＭ、上記アジャスタのねじ部直径Ｄの値により一義的に定まる）としたとき、以下の（１）式を満足するように設定したことを特徴とする高さ調整機能付き支持装置。
Ｊ  ≧  Ｄ・１／ＳｉｎＱ      ……  （１）
【請求項２】
装置筐体に取付けられ、装置筐体を支持するとともに、この高さ調整機能を備えた支持装置において、
上記装置筐体の底面部に取付けられ、底面部と平行な面に設けられる差込み用孔および上記装置本体の側面部と並行な取付け用片を備えた補助ベースフレームと、
この補助ベースフレームの上記差込み用孔に掛脱自在な差込み爪部と、補助ベースフレームを受ける受け部および上記取付け用片と並行な垂直片を備えたアジャスタ取付けプレートと、
上記装置筐体の側面部側から、上記アジャスタ取付けプレートの垂直片を補助ベースフレームの取付け用片に着脱自在に取付け固定する取付け用ねじと、
上記アジャスタ取付けプレートの受け部に設けられ、装置筐体底面部から補助ベースフレームを介してアジャスタ取付けプレートの受け部にかかる装置筐体の荷重を受けるナットを備え、このナットに螺挿して、ナットとともに装置筐体の荷重を受け、かつアジャスタ取付けプレートからの突出長さを可変にして装置筐体に対する高さ調整をなすねじであるアジャスタと、
を具備し、
アジャスタ取付けプレートの投影長さをＰ、アジャスタの軸部先端とアジャスタ取付けプレートまでの距離の最大値をＫ、アジャスタのねじ部直径をＤ、装置筐体を持ち上げずに上記アジャスタ取付けプレートに干渉されることなくアジャスタを取付け取外しするときのアジャスタの最大傾け角度Ｑとしたとき、以下の（２）式を満足するように設定したことを特徴とする高さ調整機能付き支持装置。
Ｐ  ≦  ２Ｋ  ｔａｎＱ  −  Ｄ      ……  （２）
【発明の詳細な説明】
【０００１】
【発明の属する技術分野】
本発明は、装置筐体を支持するとともに、装置筐体の水平出しに必要な高さ調整機能を備えた支持装置に関する。
【０００２】
【従来の技術】
たとえば画像形成装置など、重量が大であるとともに、特に装置筐体の水平出しを必要とする場合は、従来、図６に示すような装置筐体Ａに対する高さ調整機能付き支持装置Ｓが用いられている。
【０００３】
これは、装置筐体Ａの底面部ａに固定ねじＢを介して取付けられる補助プレートＣと、この補助プレートＣをナットＮを介して支持する高さ調整用ねじ（以下、アジャスタと呼ぶ）Ｆとから構成される。
【０００４】
なお説明すれば、補助プレートＣは逆ハット状に形成されていて、その両端鍔部ｃ，ｃが固定ねじＢにより装置筐体Ａの底面部ａに取付けられる。この補助プレートＣの中央部には上方に突出するテーパ部ｄが設けられ、このテーパ部ｄに外形が同一状のナットＮが嵌め込まれる。
【０００５】
上記ナットＮのねじ孔ｈに上記アジャスタＦのねじ部ｇが螺合し、この頭部ｋは据付け床面Ｙに直接支持される。ねじ部ｇ先端は装置筐体Ａの底面部ａに設けられる開口部ｍに挿入され、アジャスタＦの高さ調整に余裕を持たせるよう構成される。
【０００６】
【発明が解決しようとする課題】
このような装置筐体Ａの高さ調整機能付き支持装置Ｓであるから、簡素な構造で容易に製作でき、かつ装置筐体Ａに対する微少の高さ調整による水平出しが可能である。
【０００７】
その反面、補助プレートＣの取付け、あるいはアジャスタＦの取付けにあたって、装置筐体Ａを持ち上げなければならなず、据付け先で行うには手間がかかるので、必要、不用の別に係わらず製品出荷時に取付けていた。
【０００８】
また、一度据付けられた装置筐体Ａをメンテナンスなどのために移動しなければならないことがあるが、このときに支持装置Ｓを交換する必要が生じた場合の対応が極めて面倒である。
【０００９】
すなわち、支持装置Ｓ自体が装置筐体Ａに隠れて存在が確認できないので、移動中に支持装置Ｓを他のものに接触させてしまうことある。このとき、補助プレートＣやアジャスタＦの変形あるいは破損する割合が大である。
【００１０】
そのため、新たに補助プレートＣあるいはアジャスタＦを交換しなければならないが、アジャスタＦはねじ込み式となっているので、やはり装置筐体Ａを持ち上げて交換を行う必要があり多大の手間がかかる。
【００１１】
また、補助プレートＣごと交換する場合、一般的に用いられるドライバなどの工具を装置筐体底面部ａと据付け床面Ｙとの間に入れようとしても、これらの間隔が狭いため使用できない。
【００１２】
ここでも、装置筐体Ａを持ち上げて固定ねじＢを外し、それから補助プレートＣの交換を行わなければならず、装置筐体Ａは重量物であるので、同様に多大の手間のかかる作業となる。
【００１３】
本発明は上記事情に着目してなされたものであり、その目的とするところは、重量物である装置筐体を持ち上げずに、あるいは持ち上げたとしても短時間で、かつ小さいストロークですみ、取付けあるいは交換作業手間の軽減による作業性の向上を得られるとともに、比較的簡素な構成としてコストに影響の及ぼすことのない高さ調整機能付き支持装置を提供することにある。
【００１４】
【課題を解決するための手段】
上記目的を満足するため本発明は、装置筐体に取付けられ、装置筐体を支持するとともに、この高さ調整機能を備えた支持装置において、上記装置筐体の底面部に取付けられ、底面部と平行な面に設けられる差込み用孔および上記装置本体の側面部と並行な取付け用片を備えた補助ベースフレームと、この補助ベースフレームの上記差込み用孔に掛脱自在な差込み爪部と、補助ベースフレームを受ける受け部および上記取付け用片と並行な垂直片を備えたアジャスタ取付けプレートと、上記装置筐体の側面部側から、上記アジャスタ取付けプレートの垂直片を補助ベースフレームの取付け用片に着脱自在に取付け固定する取付け用ねじと、上記アジャスタ取付けプレートの受け部に設けられ、装置筐体底面部から補助ベースフレームを介してアジャスタ取付けプレートの受け部にかかる装置筐体の荷重を受けるナットを備え、このナットに螺挿して、ナットとともに装置筐体の荷重を受け、かつアジャスタ取付けプレートからの突出長さを可変にして装置筐体に対する高さ調整をなすねじであるアジャスタとを具備し、
アジャスタのねじ部直径をＤ、補助ベースフレームに設けられ高さ調整手段のナットが挿通する逃げ孔の最小の開口長さをＪ、装置筐体を持ち上げずにアジャスタを取付け取外しするときのアジャスタの最大傾け角度Ｑ（Ｑは、装置筐体の据付け床面と補助ベースフレームまでの距離Ｈ、アジャスタの全長Ｌ、アジャスタ床面の投影長さＭ、上記アジャスタのねじ部直径Ｄの値により一義的に定まる）としたとき、以下の（１）式を満足するように設定した。
Ｊ≧Ｄ・１／ＳｉｎＱ……（１）
【００１６】
さらに、本発明は、上記記載のアジャスタ等を具備したうえに、アジャスタ取付けプレートの投影長さをＰ、アジャスタの軸部先端とアジャスタ取付けプレートまでの距離の最大値をＫ、アジャスタのねじ部直径をＤ、装置筐体を持ち上げずに上記アジャスタ取付けプレートに干渉されることなくアジャスタを取付け取外しするときのアジャスタの最大傾け角度Ｑとしたとき、以下の（２）式を満足するように設定した。
Ｐ≦２ＫｔａｎＱ−Ｄ……（２）
【００１７】
このような課題を解決する手段を採用することにより、本発明によれば、重量物である装置筐体を持ち上げずに、あるいは持ち上げたとしても短時間で、かつ小さいストロークですみ、支持装置の取付けあるいは交換を可能として作業手間が軽減し、比較的簡素な構成ですむ。
【００１８】
【発明の実施の形態】
以下、図面を参照して本発明の一実施の形態について説明する。
図１および図２に示すように、装置筐体１の底面部２には、装置筐体１を支持し、かつ水平出しのため高さ調整を可能とする後述する高さ調整機能付き支持装置３が取付けられるとともに、装置筐体１の移動の際に用いられるキャスタなどの移動装置（図示しない）が取付けられる。
【００１９】
上記装置筐体１の底面部２には、補助ベースフレーム４が取付けられている。この補助ベースフレーム４は、断面Ｕ字状に形成されるベース部５と、このベース部５の一方の立上り片５ａ上端に水平方向に一体に折曲される鍔部６を有し、鍔部６が底面部２にスポット溶接などの手段で取付け固定される。
【００２０】
上記補助ベースフレーム４のベース部５には円形の逃げ孔７と、この逃げ孔７の近傍位置に、掛止部である矩形状の差込み用孔８，８が設けられる。ベース部５の他方の立上り片５ｂは、取付け部である取付け用片として、装置筐体１の側面部１ａ下端に突設される突片部９に密接もしくは密接に近い状態で平行になるよう寸法設定されている。
【００２１】
そして、この取付け用片５ｂと突片部９の所定部位であり、かつ互いに同一軸線上にねじ孔１０ａと透孔１０ｂが設けられ、互いに連通している。
高さ調整手段であるねじ（以下、アジャスタと呼ぶ）１１は、従来と全く同様の形状をなし、このアジャスタ１１のねじ部１２が螺挿するナット１３も従来と全く同様のものを用いることとする。
【００２２】
上記ナット１３は、支持手段を構成するアジャスタ取付けプレート１４に、たとえばカシメ手段によって取付け固定される。当然、ナット１３のねじ孔１３ａの軸方向は垂直方向に向けられ、ここに螺挿されるアジャスタ１１の軸方向も垂直方向になる。
【００２３】
上記アジャスタ取付けプレート１４は、上記ナット１３が取付け固定される受け部１５と、この受け部１５の一側端に一体に折曲形成される掛合部である一対の差込み爪部１６，１６と、受け部１５の他側端に一体に折曲形成される並行部である垂直片１７とからなる。
【００２４】
上記差込み爪部１６は、上記補助ベースフレーム４に設けられる差込み用孔８に掛止され、上記垂直片１７は装置筐体側面部１ａ下端の突片部９に密接、もしくは密接に近い状態に平行になって重ね合わされる。
【００２５】
このアジャスタ取付けプレート１４の垂直片１７には、装置筐体突片部９の透孔１０ｂを介して補助ベースフレーム取付け用片５ｂのねじ孔１０ａに連通する透孔１８が設けられていて、これらに固定手段をなす固定具である取付け用ねじ２０が螺挿される。
【００２６】
このようにして組立てられた装置筐体１の高さ調整機能付き支持装置３において、装置筐体１の重量に係わる荷重は筐体底面部２と、補助ベースフレーム４を介してアジャスタ取付けプレート１４の受け部１５に伝わり、さらにナット１３とアジャスタ１１を介して据付け床面２１に伝わることとなる。
【００２７】
特にアジャスタ取付けプレート１４においては、この受け部１５上面で荷重を受けることになり、したがってアジャスタ取付けプレート１４の垂直片１７を装置筐体突片部９と補助ベースフレーム取付け用片５ｂに取付ける取付け用ねじ２０にはせん断力が作用しない。
【００２８】
そのため、アジャスタ取付けプレート１４の取付けと取外しに際して、取付け用ねじ２０のねじ山を損傷することがなく、かつアジャスタ取付けプレート１４の脱落の虞れもなく、極めて安全に、かつ安定して装置筐体１を支持する。
【００２９】
図３に示すように、据付け床面２１と補助ベースフレーム４までの距離をＨ、アジャスタ１１の全長をＬ、アジャスタ１１底面の投影長さをＭ、アジャスタ軸部であるねじ部１２の直径をＤとしたとき、以下のような条件が必要である。
【００３０】
すなわち、装置筐体１を持ち上げずにアジャスタ１１を外す場合は、アジャスタ１１が外れる寸前に同図に示すように、ある傾き角度Ｑで傾いた状態とする必要がある。このときの傾き角度Ｑは、先に述べたＨ，Ｌ，Ｍ，Ｄの値により決まった値となる。
【００３１】
たとえば、補助ベースフレーム４のベース部５に設けられる逃げ孔７の最小の開口長さをＪとすると、
Ｊ  ≧  Ｄ・１／ＳｉｎＱ      ……  （１）
となるように設定すればよい。
【００３２】
（１）式を満足するよう各部の数値を限定することにより、アジャスタ１１は装置筐体１を持ち上げずに、かつ逃げ孔７によって干渉されることなく、所定角度Ｑまで傾けられることになる。
【００３３】
また、装置筐体１を持ち上げることなく、しかもアジャスタ取付けプレート１４に干渉されることなく、アジャスタ１１を所定角度Ｑまで傾け可能とするには、以下に述べるようになる。
【００３４】
図４に示すように、アジャスタ取付けプレート１４の投影長さをＰ、アジャスタ１１の軸部１２先端とアジャスタ取付けプレート１４までの距離の最大値（アジャスタ１１を可能な限り収納した状態）をＫ、アジャスタ軸部１２であるねじ部直径をＤとすると、
Ｐ  ≦  ２Ｋ  ｔａｎＱ  −  Ｄ      ……  （２）
となるように、上記アジャスタ取付けプレート１４の投影長さＰを設定すればよい。
【００３５】
なお、（２）式に至る式過程は、図５から説明できる。
すなわち、アジャスタ１１を所定角度Ｑだけ傾けた状態で、点ｒ，点ｓ，点ｔを頂点とする三角形を形成し、辺ｓｔの長さを求める。このとき、辺ｓｔ長さ＝Ｐ／２＋Ｄ／２であり、これはＫｔａｎＱから得られる。
【００３６】
したがって、Ｐ／２＋Ｄ／２＝ＫｔａｎＱであり、同式を展開すると、
（Ｐ＋Ｄ）／２＝ＫｔａｎＱ
Ｐ＋Ｄ＝２ＫｔａｎＱ
Ｐ＝２ＫｔａｎＱ−Ｄ
となる。ここでアジャスタ取付けプレート１４の投影長さＰは最大値であり、これと等しいか、より短いことが望ましいので、先の（２）式で表したように、
Ｐ≦２ＫｔａｎＱ−Ｄ
が得られることになる。
【００３７】
このようにして、装置筐体１の重量に係わる荷重が、筐体底面部２―補助ベースフレーム４―アジャスタ取付けプレート１４の受け部１５―ナット１３―アジャスタ１１―据付け床面２１と伝わることになり、安全に、かつ安定して装置筐体１を支持でき、アジャスタ１１に対する操作により装置筐体１の水平出し調整が行える。
【００３８】
また、取付け用ねじ２０にせん断力が働いていないので、この取付け用ねじ２０のねじ山を損傷することなく、装置筐体１の側面部１ａ側から取付けと取外しが可能となる。
【００３９】
アジャスタねじ部１２のねじ山が損傷していなければ、アジャスタ１１のねじ部１２先端とアジャスタ取付けプレート１４までの距離を最大値Ｋとし、アジャスタ１１を可能な限り収納した状態で装置筐体１を持ち上げることなく、アジャスタ１１とアジャスタ取付けプレート１４の取外しと取付けができる。
【００４０】
たとえば、アジャスタ１１のねじ部１２のねじ山が損傷している場合は、アジャスタ１１を交換しなければならない。このときは、装置筐体側面部１ａ側から取付けねじ２０を取外してから装置筐体１を持ち上げて、アジャスタ取付けプレート１４ごと取外すことになる。
【００４１】
しかるに、装置筐体１と補助ベースフレーム４に対する上記アジャスタ取付けプレート１４の構成から、従来と比較して小さいストロークでの持ち上げですみ、短時間で作業が終わるので作業性がよい
なお、このときの装置筐体１の持ち上げストロークは、先に説明したようにアジャスタ取付けプレート１４の投影長さＰに依存することとなり、このアジャスタ取付けプレート投影長さＰをより短く（小さく）することにより、より持ち上げストロークを小さくできる。
【００４２】
さらにまた、図６に示す従来構成では、装置筐体Ａを持ち上げないと取付けができなかったため、装置の製品出荷時にアジャスタＦを取付けていたが、本発明では装置筐体１を持ち上げることなくアジャスタ１１の取付けが可能となったので、装置筐体１の据付け時において必要に応じてアジャスタ１１の取付けを行えばよく、不要であれば取付けずに、代ってコストの低減を図れる。
【００４３】
【発明の効果】
以上説明したように、重量物である装置筐体を持ち上げずに、たとえ持ち上げたとしても短時間と、わずかのストロークで支持装置構成部品の取付けおよび交換を可能として作業手間の軽減化を図り、作業性の向上を得られるとともに、比較的簡素な構成ですみコストに影響の及ぼすことのないという効果を奏する。
【図面の簡単な説明】
【図１】本発明の一実施の形態に係わる、装置筐体の高さ調整機能付き支持装置の断面図。
【図２】同実施の形態の、装置筐体の高さ調整機能付き支持装置を分解した斜視図。
【図３】同実施の形態に係わる、アジャスタの傾きと補助ベースフレームの開口長さの圧縮機構部の断面図。
【図４】同実施の形態に係わる、アジャスタとアジャスタ取付けプレートの傾き許容状態を表す図。
【図５】同実施の形態に係わる、アジャスタとアジャスタ取付けプレートの傾き許容状態を表す基礎となる計算式を説明するための図。
【図６】従来の、装置筐体の高さ調整機能付き支持装置の断面図。
【符号の説明】
１…装置筐体、
２…底面部、
８…掛止部（差込み用孔）、
１ａ…側面部、
５ｂ…取付け部（取付け用孔）、
１４…補助筐体（補助ベースフレーム）、
１６…掛合部（差込み爪部）、
１５…受け部、
１７…並行部（垂直片）、
１４…支持手段（アジャスタ取付け用プレート）、
２０…固定具（取付け用ねじ）
１１…高さ調整手段（アジャスタ）。
【図１】
0004167331.tif 000002
【図２】
0004167331.tif 000003
【図３】
0004167331.tif 000004
【図４】
0004167331.tif 000005
【図５】
0004167331.tif 000006
【図６】
0004167331.tif 000007